(57)【要約】      （修正有）【課題】使用状態を迅速に切り替え可能なＩＡＢＰ駆動装置を提供する。【解決手段】バルーンカテーテルを接続するカテーテル接続部が形成されておりバルーンを膨張及び収縮させるための圧力発生手段を収納する本体筐体部と、本体筐体部に設けられるモニタ設置部３０と、を有する装置本体と、表面側に配置されバルーンカテーテルの駆動状態を表示可能な表示部と、内部に収納されており圧力発生手段及び表示部を制御する制御部とを有し、モニタ設置部に着脱自在に取り付け可能であって、装置本体と通信可能なモニタ部５０と、を有し、モニタ設置部は、本体筐体部から鉛直方向に伸びる基部３２と、基部の上端に設けられ所定の方向に可動する可動部３４と、可動部に接続されるモニタ挿入部４０と、を有し、モニタ部は、モニタ部の背面に配置され、モニタ挿入部の少なくとも一部が挿入されるソケット部５８を有するＩＡＢＰ駆動装置。【選択図】図３
2015188674.tif 000002
【特許請求の範囲】
【請求項１】
バルーンが接続されたバルーンカテーテルを取り付け、前記バルーンを膨張及び収縮させるＩＡＢＰ駆動装置であって、
前記バルーンカテーテルを接続するカテーテル接続部が形成されており前記バルーンを膨張及び収縮させるための圧力発生手段を収納する本体筐体部と、前記本体筐体部に設けられるモニタ設置部と、を有する装置本体と、
表面側に配置され前記バルーンカテーテルの駆動状態を表示可能な表示部と、内部に収納されており前記圧力発生手段及び前記表示部を制御する制御部とを有し、前記モニタ設置部に着脱自在に取り付け可能であって、前記装置本体と通信可能なモニタ部と、を有し、
前記モニタ設置部は、前記本体筐体部から鉛直方向に伸びる基部と、前記基部の上端に設けられ所定の方向に可動する可動部と、前記可動部に接続されるモニタ挿入部と、を有し、
前記モニタ部は、前記モニタ部の背面に配置され、前記モニタ挿入部の少なくとも一部が挿入されるソケット部を有するＩＡＢＰ駆動装置。
【請求項２】
前記モニタ挿入部の先端付近には、前記モニタ挿入部の挿入方向に沿う切り込みによって第１部分と第２部分とに分割された分割先端部が形成されており、
前記ソケット部は、前記ソケット部における２つの対向面を接続しており前記モニタ挿入部が前記ソケット部に挿入された状態において前記第１部分と前記第２部分との間に位置する支柱を有することを特徴とする請求項１に記載のＩＡＢＰ駆動装置。
【請求項３】
前記モニタ部は、前記モニタ部の背面であって前記ソケット部の両側に配置され、前記モニタ挿入部の挿入方向とは垂直方向に可動する１対のロックレバーを有し、
それぞれの前記ロックレバーは、前記モニタ挿入部が前記ソケット部に挿入された状態において、前記モニタ挿入部に形成された係合受け部に係合する係合突起部に接続していることを特徴とする請求項１又は請求項２に記載のＩＡＢＰ駆動装置。
【請求項４】
前記モニタ挿入部は、前記係合受け部より先端側に、前記係合受け部に向かって前記挿入方向に垂直な方向の幅が広くなる拡大領域が形成されており、前記係合受け部は、前記挿入方向に垂直な方向の幅が拡大領域の最大値より小さいくびれ形状を成し、
前記ロックレバーに接続する前記係合突起部は、前記挿入方向に対して略垂直方向に伸びて前記モニタ挿入部が前記ソケット部から抜けるのを阻止する阻止面と、前記阻止面より前記ソケット部の開口の近くに配置され、前記阻止面から前記開口に近づくに従って当該係合突起部が接続する前記ロックレバーまでの距離が近くなるように、前記挿入方向に対して斜めに伸びる導入面と、を有することを特徴とする請求項３に記載のＩＡＢＰ駆動装置。
【請求項５】
前記モニタ設置部の前記可動部は、少なくとも前記モニタ挿入部が鉛直方向に延在する第１姿勢から、前記モニタ挿入部が水平方向に延在する第２姿勢まで傾きが変えられるように、可動することを特徴とする請求項１から請求項４までのいずれかに記載のＩＡＢＰ駆動装置。
【請求項６】
前記モニタ部は、前記ソケット部に挿入可能な分離設置用挿入部を有しており前記本体筐体部とは異なる設置手段に対して取り付け可能なアダプタ部に対して、着脱自在に取り付けられることを特徴とする請求項１から請求項５までのいずれかに記載のＩＡＢＰ駆動装置。
【発明の詳細な説明】
【技術分野】
【０００１】
本発明は、ＩＡＢＰ（大動脈バルーンポンピング）において被駆動機器を駆動するために用いられるＩＡＢＰ駆動装置に関する。
【背景技術】
【０００２】
ＩＡＢＰにおいてバルーンカテーテルを駆動するために用いられる駆動装置では、被駆動機器であるバルーンの駆動状態を、チャート等の形式で表示可能な表示装置が搭載されているものが提案されている。特許文献１に記載されているように、ＩＡＢＰでは、心臓の拍動に合わせてバルーンを膨張・収縮させる必要があるため、患者の容態の変化に伴うタイミング検出状態の変化や、バルーンの圧力変化などを常にモニタリングし、万が一異常が発生した場合には、素早くオペレータに対して警告を発する必要がある。
【０００３】
一方で、ＩＡＢＰ駆動装置の使用環境においては、ＩＡＢＰ駆動装置の監視・操作を、患者のベッドサイド又は装置本体が置かれている場所と同じ場所で行いたい場合と、患者及び装置本体が配置された場所から離れて行いたい場合とがある。例えば後者は、装置のオペレータが、患者のいる滅菌空間に入ること無く、ＩＡＢＰ駆動装置の監視・操作を行いたいような場合である。
【先行技術文献】
【特許文献】
【０００４】
【特許文献１】特開平９−２２５０２２号公報
【発明の概要】
【発明が解決しようとする課題】
【０００５】
しかしながら、従来のＩＡＢＰ駆動装置は、装置本体から表示装置を簡単に取り外しできず、装置本体に表示装置を取り付けた使用状態と、装置本体から離れた場所に表示装置を設置する使用状態との間で、使用状態を迅速に切り替えることが難しいという問題を有している。
【０００６】
本発明は、このような実状に鑑みてなされ、装置本体から表示装置を容易に着脱可能であって、装置本体に表示装置を取り付けた使用状態と、装置本体から離れた場所に表示装置を設置する使用状態との間で、使用状態を迅速に切り替え可能なＩＡＢＰ駆動装置を提供することである。
【課題を解決するための手段】
【０００７】
上記目的を達成するために、本発明に係るＩＡＢＰ駆動装置は、
バルーンが接続されたバルーンカテーテルを取り付け、前記バルーンを膨張及び収縮させるＩＡＢＰ駆動装置であって、
前記バルーンカテーテルを接続するカテーテル接続部が形成されており前記バルーンを膨張及び収縮させるための圧力発生手段を収納する本体筐体部と、前記本体筐体部に設けられるモニタ設置部と、を有する装置本体と、
表面側に配置され前記バルーンカテーテルの駆動状態を表示可能な表示部と、内部に収納されており前記圧力発生手段及び前記表示部を制御する制御部とを有し、前記モニタ設置部に着脱自在に取り付け可能であって、前記装置本体と通信可能なモニタ部と、を有し、
前記モニタ設置部は、前記本体筐体部から鉛直方向に伸びる基部と、前記基部の上端に設けられ所定の方向に可動する可動部と、前記可動部に接続されるモニタ挿入部と、を有し、
前記モニタ部は、前記モニタ部の背面に配置され、前記モニタ挿入部の少なくとも一部が挿入されるソケット部を有する。
【０００８】
本発明に係るＩＡＢＰ駆動装置の表示装置となるモニタ部は、モニタ部の背面に配置されたソケット部に、モニタ設置部におけるモニタ挿入部を挿入することにより、装置本体に対して着脱自在に取り付けられる。これにより、本発明に係るＩＡＢＰ駆動装置は、装置本体にモニタ部を取り付けた使用状態と、装置本体から離れた場所にモニタ部を設置する使用状態との間で、使用状態を迅速に切り替えることができる。また制御部がモニタ部に備えられているため、装置本体からの信号を用いた演算処理、表示、圧力発生手段制御等を、モニタ部で集中的に行うことができる。
【０００９】
また、例えば、前記モニタ挿入部の先端付近には、前記モニタ挿入部の挿入方向に沿う切り込みによって第１部分と第２部分とに分割された分割先端部が形成されていても良く、
前記ソケット部は、前記ソケット部における２つの対向面を接続しており前記モニタ挿入部が前記ソケット部に挿入された状態において前記第１部分と前記第２部分との間に位置する支柱を有しても良い。
【００１０】
制御部を有するモニタ部はやや重くなる傾向があり、また、モニタ部の一部を掴んでモニタ部の向きを変更する動作を行う際にはソケット部に比較的大きな荷重がかかる場合があるため、ソケット部は頑丈に作られることが好ましい。モニタ挿入部に分割先端部を形成し、ソケット部が対向面を接続する支柱を有することにより、ソケット部の強度が向上し、このようなソケット部は、モニタ部の向きを変更する際等の荷重を好適に受け止めることができる。
【００１１】
また、例えば、前記モニタ部は、前記モニタ部の背面であって前記ソケット部の両側に配置され、前記モニタ挿入部の挿入方向とは垂直方向に可動する１対のロックレバーを有しても良く、
それぞれの前記ロックレバーは、前記モニタ挿入部が前記ソケット部に挿入された状態において、前記モニタ挿入部に形成された係合受け部に係合する係合突起部に接続していても良い。
【００１２】
ロックレバーおよびこれに接続する係合突起を有することにより、モニタ部が意図せず装置本体から外れてしまうことを防止できる。また、一対のロックレバーを備えるモニタ部は、モニタ部をモニタ設置部から取り外す際に、作業者が両手でモニタ部を把持することになるため、作業中にモニタ部を落下させる危険性を低減することができる。
【００１３】
また、例えば、前記モニタ挿入部は、前記係合受け部より先端側に、前記係合受け部に向かって前記挿入方向に垂直な方向の幅が広くなる拡大領域が形成されており、前記係合受け部は、前記挿入方向に垂直な方向の幅が拡大領域の最大値より小さいくびれ形状を成していても良く、
前記ロックレバーに接続する前記係合突起部は、前記挿入方向に対して略垂直方向に伸びて前記モニタ挿入部が前記ソケット部から抜けるのを阻止する阻止面と、前記阻止面より前記ソケット部の開口の近くに配置され、前記阻止面から前記開口に近づくに従って当該係合突起部が接続する前記ロックレバーまでの距離が近くなるように、前記挿入方向に対して斜めに伸びる導入面と、を有しても良い。
【００１４】
モニタ挿入部の形状と、係合突起部の形状を上述のような形状とすることにより、モニタ部をモニタ設置部に取り付ける際には、ロックレバーを操作しなくても、モニタ部の自重により、モニタ挿入部をソケット部のロック位置まで容易に挿入することが可能である。一度モニタ挿入部がロック位置まで挿入されると、ソケット部からモニタ挿入部が抜ける動きは、阻止面により阻止されるため、ロックレバーを操作しない限り、モニタ部を取り外すことができない。
【００１５】
また、例えば、前記モニタ設置部の前記可動部は、少なくとも前記モニタ挿入部が鉛直方向に延在する第１姿勢から、前記モニタ挿入部が水平方向に延在する第２姿勢まで傾きが変えられるように、可動しても良い。
【００１６】
ＩＡＢＰ駆動装置の使用時には、モニタ挿入部を第１姿勢とすることにより表示部が視認しやすい状態となり、ＩＡＢＰ駆動装置の保管時には、モニタ挿入部を第２姿勢とすることにより表示部が下向きとなるため、保管中に表示部にホコリが溜まることを防止できる。
【００１７】
また、例えば、前記モニタ部は、前記ソケット部に挿入可能な分離設置用挿入部を有しており前記本体筐体部とは異なる設置手段に対して取り付け可能なアダプタ部に対して、着脱自在に取り付けられても良い。
【００１８】
アダプタ部に対して取り付け可能なモニタ部は、装置本体から離れた場所であっても、アダプタ部を用いて、表示部を視認し易い姿勢で設置することが可能である。
【図面の簡単な説明】
【００１９】
【図１】図１は、本発明の一実施形態に係るＩＡＢＰ駆動装置の概略構成図である。
【図２】図２は、本発明の一実施形態に係るＩＡＢＰ駆動装置の全体外観図である。
【図３】図３は、図２に示すＩＡＢＰ駆動装置のモニタ設置部及びモニタ部の背面を表す斜視図である。
【図４】図４は、図２に示すＩＡＢＰ駆動装置のモニタ挿入部を表す斜視図である。
【図５】図５は、図２に示すＩＡＢＰ駆動装置のモニタ部の表面を表す平面図である。
【図６】図６は、図２に示すＩＡＢＰ駆動装置のモニタ部の背面を表す斜視図である。
【図７】図７は、図２に示すＩＡＢＰ駆動装置におけるモニタ挿入部とソケット部の構造を表す模式図である。
【図８】図８は、図５及び図６等に示すモニタ部が取り付けられるアダプタ部を表す斜視図である。
【発明を実施するための形態】
【００２０】
以下、本発明に係るＩＡＢＰ駆動装置を、図面に示す実施形態に基づき、詳細に説明する。
【００２１】
図１は、本発明の一実施形態に係るＩＡＢＰ駆動装置１０の概略構成図である。ＩＡＢＰ駆動装置１０は、ＩＡＢＰ用バルーンカテーテル８０のバルーン８２を膨張及び収縮させるために用いられる駆動装置である。被駆動機器であるバルーンカテーテル８０は、ＩＡＢＰ駆動装置１０のカテーテル接続部２４に接続して使用される。ＩＡＢＰ用バルーンカテーテル８０の先端には、心臓の拍動に合わせて拡張及び収縮するバルーン８２が備えられており、バルーン８２は下行大動脈内に留置されて使用される。
【００２２】
図２は、ＩＡＢＰ駆動装置１０の外観図である。図１及び図２に示すように、ＩＡＢＰ駆動装置１０は、本体筐体部２２及びモニタ設置部３０を有する装置本体２０と、表示部５４等を有するモニタ部５０とを有する。本体筐体部２２の内部には、バルーン８２を膨張・収縮するための圧力発生手段２６が収納されている。圧力発生手段２６は、バルーン８２を膨張させるヘリウム等のガスを貯蔵するガスタンクや、所定の圧力に保たれる圧力室や、圧力を伝達する圧力伝達隔壁装置（アイソレータ）や、圧力室を接続する配管及び電磁弁等を有している。圧力発生手段２６については、任意の公知技術を採用すればよく、その詳細な説明については省略する。本体筐体部２２の底部には、キャスター２８が備えられており、必要に応じてＩＡＢＰ駆動装置１０を迅速に移動させることが可能である。
【００２３】
モニタ部５０を設置するモニタ設置部３０は、本体筐体部２２の上方に設けられている。図３は、モニタ設置部３０及びモニタ設置部３０に設置されたモニタ部５０の背面を表す斜視図である。図１及び図３に示すように、モニタ設置部３０は、本体筐体部２２から鉛直方向に伸びる柱状の基部３２と、基部３２の上端に設けられ所定の方向に可動する可動部３４と、可動部３４に接続されるモニタ挿入部４０とを有する。
【００２４】
モニタ設置部３０の基部３２は、円柱形状を有しており、基部３２の下端は本体筐体部２２に固定されている。可動部３４は、基部３２を中心軸とする回転方向（矢印９０）に可動する第１可動部３４ａと、水平に配置される軸を中心軸とする回転方向（矢印９２）に可動する第２可動部３４ｂとを有する。モニタ挿入部４０及びモニタ挿入部４０に接続されるモニタ部５０は、第１可動部３４ａにより、鉛直方向の中心軸を有する水平方向の姿勢変更を行うことができる。また、モニタ挿入部４０及びモニタ挿入部４０に接続されるモニタ部５０は、第２可動部３４ｂにより、水平方向の中心軸を有する傾き方向の姿勢変更を行うことができる。
【００２５】
第１可動部３４ａ、第２可動部３４ｂの可動域は特に限定されないが、たとえば第１可動部３４ａの可動域は、図２に示すようにモニタ部５０を前向きに配置できる状態を含む３３０度とすることができる。第２可動部３４ｂは、少なくともモニタ挿入部４０が鉛直方向に延在する第１姿勢から、モニタ挿入部４０が水平方向に延在する第２姿勢まで傾きが変えられるように可動することが好ましい。本実施形態における第２可動部３４ｂの可動域は、モニタ設置部３０に取り付けられたモニタ部５０の表示部５４が水平下向きになる状態から、表示部５４が斜め上方を向くようにモニタ部５０が後傾した状態までの１３５度である。
【００２６】
図４は、モニタ部５０が取り外された状態のモニタ設置部３０の斜視図である。モニタ挿入部４０は、可動部３４から上方側（水平方向から鉛直上向き）に伸びている。モニタ挿入部４０の先端付近には、モニタ挿入部４０の挿入方向に沿う切り込み４３によって第１部分４２ａと第２部分４２ｂとに分割された分割先端部４２が形成されている。第１部分４２ａと第２部分４２ｂとは、切り込み４３を基準軸として対称な形状を有している。
【００２７】
モニタ挿入部４０の第１部分４２ａ及び第２部分４２ｂには、拡大領域４２ａａ、４２ｂａと、係合受け部４２ａｂ、４２ｂｂとが形成されている。拡大領域４２ａａ、４２ｂａは、係合受け部４２ａｂ、４２ｂｂより先端側に形成されており、拡大領域４２ａａ、４２ｂａでは、係合受け部４２ａｂ、４２ｂｂに向かって挿入方向に垂直な方向の幅が広くなる。係合受け部４２ａｂ、４２ｂｂでは、挿入方向に垂直な方向の幅が、拡大領域４２ａａ、４２ｂａの最大値より小さいくびれ形状を成している。
【００２８】
可動部３４の正面側には、モニタ部５０を補助的に支持する補助係合突起３６が設けられている。補助係合突起３６は、モニタ挿入部４０がソケット部５８に挿入された際、モニタ部５０にソケット部５８とは別途形成された補助係合受け部６９（図６参照）に挿入され、モニタ挿入部４０とともにモニタ部５０を支持する。
【００２９】
図１及び図２に示すように、モニタ部５０は、モニタ設置部３０を介して本体筐体部２２に対して着脱自在に取り付けられている。モニタ部５０は、略矩形平板状の形状を有しており、モニタ部５０の外周部は、樹脂製の衝撃吸収材５７で保護されている。また、モニタ部５０は、不図示のケーブルによって本体筐体部２２と接続されており、装置本体２０と通信可能である。モニタ部５０は、表示部５４、制御部５２、パイロットランプ５５、操作部５６、ソケット部５８、ロックレバー６２、６６等を有する。
【００３０】
図５は、モニタ部５０を表面側から視た平面図である。表示部５４は、モニタ部５０の表面側に配置されており、被駆動機器であるバルーンカテーテル８０の駆動状態を、チャートなどの形式で表示できる。表示部５４は、液晶ディスプレイで構成され、表示部５４の表示内容は、モニタ部５０に内蔵される制御部５２によって制御される。制御部５２は、モニタ部５０の内部に収納されており、マイクロプロセッサ及びメモリ等によって構成される。制御部５２は、装置本体２０、バルーンカテーテル８０及びモニタ部５０における他の部分から信号を受け取るとともに演算処理を実施し、装置本体２０の圧力発生手段２６や、表示部５４及びパイロットランプ５５等の制御を行う。
【００３１】
パイロットランプ５５は、モニタ部５０の頂部に配置されており、バルーンカテーテル８０の駆動状態を表す。パイロットランプ５５は、透明又は半透明のカバー及びカバーの内部に配置された複数のＬＥＤ等によって構成される。制御部５２は、バルーンカテーテル８０の駆動状態に応じて、パイロットランプ５５の点灯色や点灯状態（常時点灯・点滅・消灯）を変更する。パイロットランプ５５は、モニタ部５０に対して表面側、背面側、側面側のいずれの方向に操作者がいる場合にでも視認できるように、衝撃吸収材５７から前後にはみ出た状態で、モニタ部５０の中央上部に配置されている。
【００３２】
操作部５６は、表示部５４と同様にモニタ部５０の表面側に配置されており、特に表示部５４の下方に配置されている。操作部５６は、複数のボタン、選択キー等によって構成されており、ＩＡＢＰ駆動装置１０の操作者は、操作部５６を介して操作信号を入力し、ＩＡＢＰ駆動装置１０の駆動開始及び停止、駆動条件の変更等を行うことができる。図２及び図３に示すように、操作部５６が配置されているモニタ部５０の下部は、表示部５４が配置されているモニタ部５０の上部に対して、表面が向いている前方に向かって１５度〜２０度傾斜した形状を有している。このような形状を有するモニタ部５０は、表示部５４を鉛直に近い状態に立てた状態で、操作部５６のボタン操作を正確に行うことができるため、視認性と操作性を両立できる。
【００３３】
図６は、モニタ部５０を背面方向から見た斜視図である。ソケット部５８は、モニタ部５０の背面の中央部に配置されている。ソケット部５８は、下方に開く開口５８ｂを有するポケットのような、中空の直方体形状を有している。ソケット部５８に対して、開口５８ｂからモニタ挿入部４０の少なくとも一部が挿入されることにより、モニタ部５０は、モニタ設置部３０に取り付けられる。また、ソケット部５８の下方には、補助係合突起３６が係合するための補助係合受け部６９が形成されている。
【００３４】
図７は、モニタ挿入部４０のソケット部５８への挿入状態を表す模式図であり、モニタ部５０の背面側の内部構造が、点線で表示されている。ソケット部５８は、ソケット部５８における２つの対向面を接続する支柱５８ａを有する。支柱５８ａは、モニタ挿入部４０がソケット部５８に挿入された状態において、第１部分４２ａと第２部分４２ｂとの間に位置する。支柱５８ａは、ソケット部５８内部の中央付近に配置されており、モニタ挿入部４０をソケット部５８に挿入する際、支柱５８ａは、切り込み４３に沿ってモニタ挿入部４０の基端側へ相対移動する。
【００３５】
モニタ部５０の背面には、一対のロックレバー６２、６６が配置されている。一対のロックレバー６２、６６は、ソケット部５８に対して挿入方向とは垂直方向の両側に配置されている。ロックレバー６２、６６は、少なくとも一部がソケット部５８内部に挿入される係合突起部６４、６８に接続しており、係合突起部６４、６８は、モニタ挿入部４０がソケット部５８に挿入された状態において、モニタ挿入部４０に形成された係合受け部４２ａｂ、４２ｂｂに係合する。ロックレバー６２、６６及びこれに接続する係合突起部６４、６８は、モニタ挿入部４０の挿入方向とは垂直方向に可動する。ロックレバー６２、６６は、モニタ部５０の外周側からロックレバー６２、６６に接触するスプリング６７、６３により、背面中央側へ向かって付勢されているため、自由状態において、ロックレバー６２、６６及び係合突起部６４、６８は、図７に示すような中央寄りに位置する。
【００３６】
係合突起部６４、６８は、挿入方向に対して垂直方向に伸びてモニタ挿入部４０がソケット部５８から抜けるのを阻止する阻止面６４ａ、６８ａと、阻止面６４ａ、６８ａより開口５８ｂの近くに配置される導入面６４ｂ、６８ｂとを有する。阻止面６４ａ、６８ａは、係合突起部６４、６８の上面を構成しており、ロックレバー６２、６６を操作せずにモニタ部５０をモニタ設置部３０から取り外そうとした場合、阻止面６４ａ、６８ａがモニタ挿入部４０の分割先端部４２に接触して、モニタ部５０の取り外しを阻止する。導入面６４ｂ、６８ｂは、挿入方向に対して斜めに伸びており、阻止面６４ａ、６８ａから開口５８ｂに近づくに従って、それぞれの係合突起部６４、６８が接続するロックレバー６２、６６までの距離が近くなるように形成されており、２つの導入面６４ｂ、６８ｂにより、開口５８ｂ側に向かって開く形状を構成している。
【００３７】
以下に、モニタ部５０の着脱方法について説明する。
【００３８】
図６に示すモニタ部５０を、図４に示すモニタ設置部３０に取り付ける場合、作業者は、モニタ部５０の背面に形成されたソケット部５８に、モニタ設置部３０のモニタ挿入部４０を挿入する。より具体的には、モニタ挿入部４０の先端が、開口５８ｂからソケット部５８の内部に入っていくように位置を合わせながら、上方からモニタ部５０をモニタ設置部３０に対して近づけていく。
【００３９】
ソケット部５８の内部にモニタ挿入部４０が挿入され始めると、ソケット部５８の内部に配置された支柱５８ａが、分割先端部４２の切り込み４３に誘導され、モニタ部５０とモニタ設置部３０の位置調整が行われる（図７参照）。さらに、モニタ挿入部４０がソケット部５８内に挿入されると、分割先端部４２の拡大領域４２ａａ、４２ｂａと、ソケット部５８内に位置する係合突起部６４、６８の導入面６４ｂ、６８ｂが接触する。係合突起部６４、６８は、スプリング６３、６７によって中央側に付勢されているが、図７に示すように、分割先端部４２の拡大領域４２ａａ、４２ｂａが下方に向かって幅が広がる形状であり、かつ、２つの導入面６４ｂ、６８ｂも開口５８ｂ側に向かって開く形状であるため、２つの係合突起部６４、６８は、挿入の進行とともに分割先端部４２によって両側に押し広げられる。したがって、作業者は、モニタ部５０の自重を利用して挿入を進めることで、ロックレバー６２、６６を直接操作しなくても、モニタ部５０の取り付けを行うことができる。
【００４０】
モニタ挿入部４０が、ソケット部５８に対して所定位置まで挿入されると、係合突起部６４、６８は、スプリング６３、６７の付勢力によって中央側に移動し、図７に示すように、分割先端部４２の係合受け部４２ａｂ、４２ｂｂに係合し、取り付けが完了する。この状態では、上述したように、係合受け部４２ａｂ、４２ｂｂに係合突起部６４、６８が係合しているため、ロックレバー６２、６６を操作せずにモニタ部５０をモニタ設置部３０から取り外すことができない。また、モニタ挿入部４０の挿入と同時に、図４に示す補助係合突起３６が、図６に示す補助係合受け部６９に係合し、モニタ設置部３０によるモニタ部５０の支持を補助する。
【００４１】
図３及び図７に示す状態からモニタ部５０を取り外す場合、作業者は、両方の手を使ってモニタ部５０の両サイドを掴みながら、指をロックレバー６２、６６に引っかけて外側に引き寄せる。これにより、ロックレバー６２、６６に接続する係合突起部６４、６８がソケット部５８の内部で移動し、係合突起部６４、６８と係合受け部４２ａｂ、４２ｂｂとの係合が解除される。さらに、作業者は、ロックレバー６２、６６を外側に引き寄せたまま、モニタ部５０を上方に引き上げる。このような動作により、ソケット部５８内部の支柱５８ａは、分割先端部４２の切り込み４３に沿って上方に移動し、モニタ挿入部４０はソケット部５８から抜き取られ、モニタ部５０の取り外しが完了する。
【００４２】
本実施形態に係るＩＡＢＰ駆動装置１０では、モニタ部５０の背面に配置されたソケット部５８に、モニタ挿入部４０を挿入することにより、装置本体２０に対してモニタ部５０を容易に取り付けできる。したがって、ＩＡＢＰ駆動装置１０は、装置本体２０にモニタ部５０を取り付けた使用状態と、装置本体２０から離れた場所にモニタ部５０を設置する使用状態との間で、使用状態を迅速に切り替えることができる。
【００４３】
なお、装置本体２０から離れた場所にモニタ部５０を設置する場合、モニタ部５０は、図８に示すようなアダプタ部７０を用いて設置されても良い。アダプタ部７０は、図４に示すモニタ挿入部４０と同様の形状の分離設置用挿入部７２を有しており、モニタ部５０は、分離設置用挿入部７２をソケット部５８に挿入することにより、アダプタ部７０に対して、着脱自在に取り付けられる。アダプタ部７０は、ボルトナット等の取付手段を用いて、本体筐体部２２とは異なる他の設置手段（例えばモニタスタンドやモニタラック等）に固定される。なお、分離設置用挿入部７２を構成する部材に、ＶＥＳＡ規格に従ったネジ穴を設けておけば、広く流通する該規格に従ったモニタスタンドやモニタラックにその部材を接続して、そのモニタスタンドやモニタラックとともにアダプタ部７０を構成することも可能になる。
【００４４】
また、ＩＡＢＰ駆動装置１０では、モニタ部５０がソケット部５８の両側に配置された一対のロックレバー６２、６６を有するため、モニタ部５０をモニタ設置部３０から取り外す際に、作業者は必然的に両手でモニタ部５０を把持することになるため、作業中にモニタ部５０を落下させる危険性を低減することができる。ＩＡＢＰ駆動装置１０では、信号に含まれるノイズを低減するために制御部５２をモニタ部５０に収納しており、モニタ部５０の自重が重くなっているが、両手でモニタ部５０を操作してもらうことにより、落下による故障や、不慮の事故を防止できる。また、モニタ挿入部４０における分割先端部４２や係合突起部６４、６８の形状を所定の形状とすることにより、モニタ部５０をモニタ設置部３０に取り付ける際には、ロックレバー６２、６６の操作を不要とし、ロックがかからない中途半端な取り付け状態で放置される危険性を低減できる。
【００４５】
さらに、ＩＡＢＰ駆動装置１０では、ソケット部５８の内部に支柱５８ａが配置されており、モニタ挿入部４０が切り込み４３によって分割された分割先端部４２を有しているため、ソケット部５８に対するモニタ挿入部４０の抜き差しを円滑に行うことができる。また、支柱５８ａがソケット部５８の対向面を接続するためソケット部５８の強度が高く、ソケット部５８の変形が防止される。したがって、図３に示すようにモニタ設置部３０に設置されたモニタ部５０を把持して可動部３４を可動させ、表示部５４の向きを変えるような作業を行っても、ソケット部５８はモニタ挿入部４０から受ける負荷に耐えることができる。また、ＩＡＢＰ駆動装置１０では、図４及び図６に示される補助係合突起３６及び補助係合受け部６９により、ソケット部５８及びモニタ挿入部４０に負荷が集中することを防止し、耐久性を向上させている。
【００４６】
本発明に係るＩＡＢＰ駆動装置１０は、上述した実施形態に限定されず、様々な改変が可能である。たとえば、モニタ部５０の表示部５４は、タッチパネルで構成され、上述した実施形態における操作部５６を兼ねていても良い。また、モニタ部５０と装置本体２０との通信は、送受信装置を用いた無線通信であっても良い。
【符号の説明】
【００４７】
１０…ＩＡＢＰ駆動装置
２０…装置本体
２２…本体筐体部
２４…カテーテル接続部
２６…圧力発生手段
３０…モニタ設置部
３４…可動部
４０…モニタ挿入部
４２…分割先端部
４２ａ…第１部分
４２ｂ…第２部分
４２ａａ、４２ｂａ…拡大領域
４２ａｂ、４２ｂｂ…係合受け部
４３…切り込み
５０…モニタ部
５２…制御部
５４…表示部
５８…ソケット部
５８ａ…支柱
５８ｂ…開口
６２、６６…ロックレバー
６４、６８…係合突起部
６４ａ、６８ａ…阻止面
６４ｂ、６８ｂ…導入面
【図１】
2015188674.tif 000003
【図２】
2015188674.tif 000004
【図３】
2015188674.tif 000005
【図４】
2015188674.tif 000006
【図５】
2015188674.tif 000007
【図６】
2015188674.tif 000008
【図７】
2015188674.tif 000009
【図８】
2015188674.tif 000010